(57)【要約】      （修正有）【課題】測定報告を報告することをトリガーするトリガー時間（ＴＴＴ）を調整する方法を提供する。【解決手段】移動端末（ＵＥ）がハンドオーバーするとき、ターゲット基地局（ＴｅＮＢ）が該ＵＥのハンドオーバー補助情報を取得１０１して、該ＵＥのハンドオーバー補助情報に基づいて今回ハンドオーバーのハンドオーバー重みを決定１０２し、ＴｅＮＢが、ＵＥへハンドオーバーコマンドを送信して、ハンドオーバーコマンドに上記のハンドオーバー重みを付け１０３、ＵＥが、ハンドオーバーコマンドでのハンドオーバー重みに基づいてハンドオーバーカウントを行い、更新後のハンドオーバー回数を得１０４、ＵＥが、更新後のハンドオーバー回数に基づいてＴＴＴを調整１０５する。【選択図】図１
2014239433.tif 000002
【特許請求の範囲】
【請求項１】
トリガー時間（ＴＴＴ）を調整する方法であって、
移動端末（ＵＥ）がハンドオーバーするとき、ターゲット基地局（ＴｅＮＢ）が、前記ＵＥのハンドオーバー補助情報を取得し、
ＴｅＮＢが、前記ＵＥのハンドオーバー補助情報に基づいて、今回ハンドオーバーのハンドオーバー重みを決定し、
ＴｅＮＢが、ＵＥへハンドオーバーコマンドを送信して、ハンドオーバーコマンドに前記ハンドオーバー重みを付ける、
ことを含むことを特徴とする方法。
【請求項２】
前記ＵＥのハンドオーバー補助情報は、前記ＵＥのハンドオーバー履歴情報を含む、ことを特徴とする請求項１に記載の方法。
【請求項３】
ソース基地局（ＳｅＮＢ）は、前記ＵＥのハンドオーバー履歴情報を記憶して、ハンドオーバー判定の後に、自局で記憶された前記ＵＥのハンドオーバー履歴情報をＴｅＮＢに送信する、
ことをさらに含むことを特徴とする請求項２に記載の方法。
【請求項４】
移動管理エンティティ（ＭＭＥ）は、前記ＵＥのハンドオーバー履歴情報を記憶して、ハンドオーバー判定の後に、自局で記憶された前記ＵＥのハンドオーバー履歴情報をＴｅＮＢに送信する、
ことをさらに含むことを特徴とする請求項２に記載の方法。
【請求項５】
ＴｅＮＢが前記ＵＥのハンドオーバー補助情報に基づいて今回ハンドオーバーのハンドオーバー重みを決定することは、
前記ＵＥのハンドオーバー履歴情報に基づいて、第１のハンドオーバー重みを決定して、決定された第１のハンドオーバー重みを今回ハンドオーバーのハンドオーバー重みとする、ことを含む、
ことを特徴とする請求項２に記載の方法。
【請求項６】
前記ＵＥのハンドオーバー補助情報は、ターゲットセルの配置情報を含み、
ＴｅＮＢが前記ＵＥのハンドオーバー補助情報に基づいて今回ハンドオーバーのハンドオーバー重みを決定することは、
ターゲットセルの配置情報に基づいて、第２のハンドオーバー重みを決定して、決定された第２のハンドオーバー重みを今回ハンドオーバーのハンドオーバー重みとする、ことを含む、
ことを特徴とする請求項１に記載の方法。
【請求項７】
前記ＵＥのハンドオーバー補助情報は、前記ＵＥのハンドオーバー履歴情報と、ターゲットセルの配置情報とを含み、
ＴｅＮＢが前記ＵＥのハンドオーバー補助情報に基づいて今回ハンドオーバーのハンドオーバー重みを決定することは、
前記ＵＥのハンドオーバー履歴情報に基づいて、第１のハンドオーバー重みを決定し、
ターゲットセルの配置情報に基づいて、第２のハンドオーバー重みを決定し、
第１のハンドオーバー重みと第２のハンドオーバー重みとのうちの最小値を、今回ハンドオーバーのハンドオーバー重みとして選択する、ことを含む、
ことを特徴とする請求項１に記載の方法。
【請求項８】
前記ＵＥのハンドオーバー履歴情報に基づいて第１のハンドオーバー重みを決定することは、
前記ＵＥのハンドオーバー履歴情報に基づいて、所定の期間内に、前記ＵＥがセルＡからハンドオーバーした後に再度セルＡへハンドオーバーしようとすると判断した場合、第１のハンドオーバー重みを０に設定し、そうでなければ、第１のハンドオーバー重みを１に設定する、ことを含む、
ことを特徴とする請求項５または７に記載の方法。
【請求項９】
ターゲットセルの配置情報に基づいて第２のハンドオーバー重みを決定することは、
ターゲットセルの大きさの情報に基づいて、第２のハンドオーバー重みを決定する、ことを含む、
ことを特徴とする請求項６または７に記載の方法。
【請求項１０】
前記ＵＥのハンドオーバー補助情報は、ソースセルの配置情報をさらに含み、
前記方法は、ソースセルの配置情報とターゲットセルの配置情報とに基づいて、ソースセルとターゲットセルのカバー範囲が同じであるかどうかを判断し、またはソースセルのカバー範囲がターゲットセルのカバー範囲内にあるかどうかを判断し、ソースセルとターゲットセルのカバー範囲が同じである場合、またはソースセルのカバー範囲がターゲットセルのカバレッジ内にある場合、第２のハンドオーバー重みを０に設定する、ことをさらに含む、
ことを特徴とする請求項６または７に記載の方法。
【請求項１１】
トリガー時間（ＴＴＴ）を調整する方法であって、
ＵＥが、ハンドオーバーコマンドに付けられたハンドオーバー重みに基づいて、ハンドオーバーカウントを行い、更新後のハンドオーバー回数を得、
ＵＥが、更新後のハンドオーバー回数に基づいて、ＴＴＴを調整する、
ことを含むことを特徴とする方法。
【請求項１２】
ＵＥがハンドオーバーコマンドに付けられたハンドオーバー重みに基づいてハンドオーバーカウントを行うことは、
ＵＥが、数式HO_count＝HO_count＋ωにより、ハンドオーバーカウントを行う、ことを含み、ここで、
HO_countは、ＵＥで記録されたハンドオーバー回数を表し、ωは、ハンドオーバーコマンドに付けられたハンドオーバー重みを表す、
ことを特徴とする請求項１１に記載の方法。
【請求項１３】
トリガー時間（ＴＴＴ）を調整する方法であって、
ＵＥが、自局のハンドオーバー補助情報に基づいて、今回ハンドオーバーのハンドオーバー重みを決定し、
ＵＥが、ハンドオーバー重みに基づいて、ハンドオーバーカウントを行い、更新後のハンドオーバー回数を得、
ＵＥが、更新後のハンドオーバー回数に基づいて、ＴＴＴを調整する、
ことを含むことを特徴とする方法。
【請求項１４】
前記ハンドオーバー補助情報は、ＵＥ自局で記憶されたハンドオーバー履歴情報を含み、
前記ＵＥが自局のハンドオーバー補助情報に基づいて今回ハンドオーバーのハンドオーバー重みを決定することは、
前記ＵＥが、自局で記憶されたハンドオーバー履歴情報に基づいて、第１のハンドオーバー重みを決定して、決定された第１のハンドオーバー重みを今回ハンドオーバーのハンドオーバー重みとする、ことを含む、
ことを特徴とする請求項１３に記載の方法。
【請求項１５】
前記ハンドオーバー補助情報は、ターゲットセルの配置情報を含み、
前記ＵＥが自局のハンドオーバー補助情報に基づいて今回ハンドオーバーのハンドオーバー重みを決定することは、
前記ＵＥが、ＴｅＮＢの配置情報に基づいて、第２のハンドオーバー重みを決定して、決定された第２のハンドオーバー重みを今回ハンドオーバーのハンドオーバー重みとする、ことを含む、
ことを特徴とする請求項１３に記載の方法。
【請求項１６】
前記ハンドオーバー補助情報は、ＵＥのハンドオーバー履歴情報と、ターゲット基地局（ＴｅＮＢ）から提供されたターゲットセルの配置情報とを含み、
前記ＵＥが自局のハンドオーバー補助情報に基づいて今回ハンドオーバーのハンドオーバー重みを決定することは、
ＵＥが、自局で記憶されたハンドオーバー履歴情報に基づいて、第１のハンドオーバー重みを決定し、
ＵＥが、ＴｅＮＢから提供されたターゲットセルの配置情報に基づいて、第２のハンドオーバー重みを決定し、
第１のハンドオーバー重みと第２のハンドオーバー重みとのうちの最小値を、今回ハンドオーバーのハンドオーバー重みとして選択する、ことを含む、
ことを特徴とする請求項１３に記載の方法。
【請求項１７】
ＵＥが自局で記憶されたハンドオーバー履歴情報に基づいて第１のハンドオーバー重みを決定することは、
前記ＵＥのハンドオーバー履歴情報に基づいて、所定の期間内に、前記ＵＥがセルＡからハンドオーバーした後に再度セルＡへハンドオーバーしようとすると判断した場合、第１のハンドオーバー重みを０に設定し、そうでなければ、第１のハンドオーバー重みを１に設定する、ことを含む、
ことを特徴とする請求項１４または１６に記載の方法。
【請求項１８】
ＵＥがターゲットセルの配置情報に基づいて第２のハンドオーバー重みを決定することは、
ターゲットセルの大きさの情報に基づいて、第２のハンドオーバー重みを決定する、ことを含む、
ことを特徴とする請求項１５または１６に記載の方法。
【請求項１９】
前記ＵＥのハンドオーバー補助情報は、ソースセルの配置情報をさらに含み、
前記方法は、ソースセルの配置情報とターゲットセルの配置情報とに基づいて、ソースセルとターゲットセルのカバー範囲が同じであるかどうかを判断し、またはソースセルのカバー範囲がターゲットセルのカバー範囲内にあるかどうかを判断し、ソースセルとターゲットセルのカバー範囲が同じである場合、またはソースセルのカバー範囲がターゲットセルのカバー範囲内にある場合、第２のハンドオーバー重みを０に設定する、ことをさらに含む、
ことを特徴とする請求項１５または１６に記載の方法。
【請求項２０】
ＵＥがハンドオーバー重みに基づいてハンドオーバーカウントを行うことは、
ＵＥが、数式HO_count＝HO_count＋ωにより、ハンドオーバーカウントを行う、ことを含み、ここで、
HO_countは、ＵＥで記録されたハンドオーバー回数を表し、ωは、今回ハンドオーバーのハンドオーバー重みを表す、
ことを特徴とする請求項１３に記載の方法。
【請求項２１】
トリガー時間（ＴＴＴ）を調整する方法であって、
ＴＴＴの初期値ＴＴＴ０を予め設定し、
０＜thre1＜thre2＜…＜threnかつ１＞factor1＞factor2＞…＞factorn＞０を満たすように（ｎは自然数である）、ｎ個の閾値thre1，thre2，…，threnおよび前記ｎ個の閾値に対応するｎ個の係数factor1，factor2，…，factornを予め設定し、
ＵＥが、ハンドオーバーカウントを行い、ハンドオーバーが発生するたびに、ハンドオーバーカウンター値HO_countに１を加え、
ＵＥが、ＵＥのハンドオーバー補助情報に基づいて、前記ｎ個の閾値または前記ｎ個の係数を調整し、
threk＜HO_count＜threk+1が満たされた場合、ＴＴＴ＝ＴＴＴ０×factorkにして、HO_count＞threnが満たされた場合、ＴＴＴ＝ＴＴＴ０×factornにする（ｋ＜ｎであり、かつ、ｋは自然数である）、
ことを含むことを特徴とする方法。
【請求項２２】
基地局であって、
ユーザ端末（ＵＥ）のハンドオーバー補助情報を取得するハンドオーバー補助情報取得モジュールと、
ＵＥのハンドオーバー補助情報に基づいて今回ハンドオーバーのハンドオーバー重みを決定するハンドオーバー重み決定モジュールと、
ＵＥへハンドオーバーコマンドを送信して、ハンドオーバーコマンドに前記ハンドオーバー重みを付けるハンドオーバーコマンド送信モジュールと、
を含むことを特徴とする基地局。
【請求項２３】
ユーザ端末（ＵＥ）であって、
受信されたハンドオーバーコマンドからハンドオーバー重みを抽出するハンドオーバー重み受信モジュールと、
ハンドオーバーコマンドでのハンドオーバー重みに基づいて、ハンドオーバーカウントを行い、更新後のハンドオーバー回数を得るハンドオーバーカウントモジュールと、
更新後のハンドオーバー回数に基づいて、トリガー時間（ＴＴＴ）を調整するトリガー時間調整モジュールと、
を含むことを特徴とするユーザ端末。
【請求項２４】
基地局であって、
ＵＥへハンドオーバーコマンドを送信して、ハンドオーバーコマンドに自局の配置情報を付けるハンドオーバーコマンド送信モジュール、
を含むことを特徴とする基地局。
【請求項２５】
ユーザ端末（ＵＥ）であって、
自局のハンドオーバー補助情報に基づいて今回ハンドオーバーのハンドオーバー重みを決定するハンドオーバー重み決定モジュールと、
ハンドオーバー重みに基づいてハンドオーバーカウントを行い、更新後のハンドオーバー回数を得るハンドオーバーカウントモジュールと、
更新後のハンドオーバー回数に基づいてトリガー時間（ＴＴＴ）を調整するトリガー時間調整モジュールと、
を含むことを特徴とするユーザ端末。
【請求項２６】
ユーザ端末（ＵＥ）であって、
トリガー時間（ＴＴＴ）の初期値ＴＴＴ０を予め設定する初期化モジュールと、
０＜thre1＜thre2＜…＜threnかつ１＞factor1＞factor2＞…＞factorn＞０を満たすように（ｎは自然数である）、ｎ個の閾値thre1，thre2，…，threnおよび前記ｎ個の閾値に対応するｎ個の係数factor1，factor2，…，factornを予め設定する閾値設定モジュールと、
ハンドオーバーカウントを行い、ハンドオーバーが発生するたびに、ハンドオーバーカウンター値HO_countに１を加えるハンドオーバーカウントモジュールと、
自局のハンドオーバー補助情報に基づいて前記ｎ個の閾値または前記ｎ個の係数を調整する閾値調整モジュールと、
threk＜HO_count＜threk+1が満たされた場合、ＴＴＴ＝ＴＴＴ０×factorkにして、HO_count＞threnが満たされた場合、ＴＴＴ＝ＴＴＴ０×factornにする（ｋ＜ｎであり、かつ、ｋは自然数である）トリガー時間調整モジュールと、
を含むことを特徴とするユーザ端末。
【発明の詳細な説明】
【技術分野】
【０００１】
本願発明は、移動通信技術に関し、特に、移動通信機器がハンドオーバー過程中に、測定報告を報告するトリガー時間を調整する方法およびその装置に関する。
【背景技術】
【０００２】
セルラー移動電話は人々の通信に極めて大きな便利さをもたらしている。第３世代パートナーシッププロジェクト（３ＧＰＰ：3rd  Generation  Partnership  Project）は、移動通信分野での重要な組織として、第３世代移動通信技術（３Ｇ：The  Third  Generation）の標準化の進展を大幅に促進した。現在、広帯域アクセス技術の挑戦に対処し、かつ、増加しつつある新たなサービスの需要を満たすために、３ＧＰＰは２００４年末から３Ｇ長期的進化（ＬＴＥ：Long  Term  Evolution）技術の標準化作業を開始したことで、スペクトル効率をさらに向上させ、セル端ユーザの性能を改善し、システム遅延を低下させ、高速移動ユーザに更なる高速のアクセスサービスを提供することなどを図る。改善されたＬＴＥ（ＬＴＥ−Ａ：ＬＴＥ−Ａｄｖａｎｃｅｄ）技術はさらにＬＴＥ技術を基に、スペクトル帯域幅を数倍に増加させ、データレートを倍的に向上させ、もっと多くの移動ユーザに、更なる高速であって性能がさらに優れたサービスを提供する。
【０００３】
上記の各種類の移動通信システムでは、接続状態（ＣＯＮＮＥＣＴＥＤ）におけるユーザの移動性に対する管理が特に重要である。接続状態におけるユーザの移動性に対する管理を実現するために、移動通信システムにおいて、ハンドオーバーの概念が定義され、接続状態にあるユーザが一定の条件を満たす場合、現在のサービングセルから他のセルにハンドオーバーすることが許可される。ハンドオーバーがなければ、ユーザがサービングセルを出ると、コールドロップ後に新たなセルに再アクセスする場合があるため、ユーザのサービス満足度に大きな影響を与えてしまう。
【０００４】
一般的に、ハンドオーバーは主に、測定、測定報告、ハンドオーバー判定、およびハンドオーバー実行の４つのステップを含む。ここで、測定とは、ユーザが該ユーザのサービングセルと隣接セルとの基準信号受信電力（ＲＳＲＰ：Reference  Signal  Received  Power）、または基準信号受信品質（ＲＳＲＱ：Reference  Signal  Received  Quality）、あるいはセル信号強度を表示できる他の信号強度パラメータを測定する、ことを指す。測定報告とは、測定設定により設定されたハンドオーバー測定報告の報告条件を満たす場合、ハンドオーバー測定報告をサービング基地局へ報告する、ことを指す。ハンドオーバー判定とは、サービング基地局がハンドオーバー測定報告に基づいて、該ユーザがハンドオーバーを行う必要があるかどうかを判定して、ターゲット基地局を選択する、ことを指す。ハンドオーバー実行とは主に、ユーザがサービング基地局との接続を切断して、ターゲット基地局との接続を確立する過程を指す。
【０００５】
ここから分かるように、上記のハンドオーバー過程において、ハンドオーバー測定報告の報告条件、および、ハンドオーバーを行うかどうかを判定するためのハンドオーバー条件は、性能が最適なターゲット基地局を選択できるかどうかに係る。従って、ハンドオーバー測定報告の報告条件とハンドオーバー条件との設定は、とても重要である。
【０００６】
現在、ＬＴＥシステムで使用されるハンドオーバー測定報告の報告条件の多くは、イベントＥｖｅｎｔ  Ａ３に基づく測定報告の報告条件であり、即ち、移動端末（ＵＥ）は、ある隣接セルのＲＳＲＰまたはＲＳＲＱと、サービングセルのＲＳＲＰまたはＲＳＲＱとの差が、サービングセルで設定されたハンドオーバーオフセットHO_margin（一般的に３ｄＢに設定する）より大きいと測定した場合、タイミングを開始し、所定の期間内に、上記の測定報告の報告条件が全部満たされた場合、ＵＥが、サービングセルと該隣接セルとの信号強度パラメータが付けられるハンドオーバー測定報告を、ソース基地局へ報告する。この後、ソース基地局は、ユーザから報告されたハンドオーバー測定報告に付けられたサービングセルと該隣接セルとの信号強度パラメータに基づいて、ハンドオーバー判定を行う。ハンドオーバー判定の結果、ハンドオーバーを行う必要があるとき、さらに、ハンドオーバー実行過程を完成する。上記の過程に言及された所定の期間は、測定報告を報告することをトリガーするトリガー時間（ＴＴＴ：Time  To  Trigger）とも呼ばれる。
【０００７】
当業者であれば理解できるように、ハンドオーバー過程全体に必要な時間は、主に、ＴＴＴ、ハンドオーバー判定およびハンドオーバー実行に必要な時間を含む。ここで、ハンドオーバー判定およびハンドオーバー実行に必要な時間は、ほぼ固定されるものであるが、ＴＴＴは、可変なものである。従って、ＴＴＴがハンドオーバー過程全体に必要な時間に影響を与える主な要素であると考えられている。通常の場合で、ＴＴＴが長すぎると、測定報告が遅すぎるようになり、これは、ＵＥの移動速度が比較的速いとき、ハンドオーバー失敗率を大幅に増加させる一方、ＴＴＴが短すぎると、ＵＥの頻繁なハンドオーバーを引き起こして、ピンポン効果が深刻になってしまう。
【０００８】
従来のＬＴＥバージョン９（Ｒｅｌ−９）標準規格では、ＵＥは、移動状態推定（ＭＳＥ：Mobility  State  Estimation）により、ＴＴＴの大きさを調整する。具体的に、ＵＥは、一定の期間内のハンドオーバー回数に基づいて自局の移動速度を推定して、自局の移動速度に基づいてＴＴＴの大きさを調整する。通常の場合で、ＵＥの移動速度が速いほど、ＴＴＴを小さくして、これによってＵＥがより高速にターゲットセルにアクセスすることが許可されて、ハンドオーバーの失敗率を低下させる一方、ＵＥの移動速度が遅いほど、ＴＴＴを大きくして、これによってハンドオーバー条件を過酷にして、ピンポン効果の影響を減少させる。上記の移動状態推定方法は、伝統的な同種ネットワーク（ＨｏｍｏＮｅｔ：Homogeneous  Network）に広くかつ効果的に適用されるが、異種ネットワーク（ＨｅｔＮｅｔ：Heterogeneous  Network）への適用に適合していない。
【０００９】
異種ネットワークＨｅｔＮｅｔは、システムスループットおよびネットワーク全体の効率を著しく向上させる技術である。異種ネットワークとは、少なくとも１つの低電力ノード（ＬＰＮ：Low  Power  Node）が１つの高電力ノード（ＨＰＮ：High  Power  Node）のカバー領域内に配置されることで、同じカバレッジの異なるノードタイプを形成する異種システムを指す。ここで、ＨＰＮとは、送信電力が比較的高くてカバー半径が比較的大きい基地局（例えば、マクロセル基地局など）を指す。ＬＰＮとは、送信電力が比較的低くてカバー半径が比較的小さい基地局（例えば、スモールセル基地局、マイクロセル基地局、ミリマイクロセル基地局、およびリモートラジオヘッド（ＲＲＨ：Remote  Radio  Head)やリレー（Relay）など）を指す。
【００１０】
ＨｅｔＮｅｔにおいて、１つのマクロセル基地局がカバーするマクロセル内に、スモールセル基地局がカバーするスモールセルが複数存在する可能性があるため、ネットワーク密度を大幅に増加させる。このような場合で、ＵＥが該マクロセル内で比較的遅い速度で移動しても、複数回のハンドオーバーが発生するおそれがある。このとき、上記の移動状態推定方法を適用して、ハンドオーバー回数のみをＵＥの移動速度の速さの判断根拠とすると、ＵＥの移動速度が厳重に過大評価されることになり、さらに、ＴＴＴが低すぎるように調整され、これによって深刻なピンポン効果が現われることになってしまう。
【発明の概要】
【発明が解決しようとする課題】
【００１１】
上記の問題を解決するために、本発明の実施例で、測定報告を報告するトリガー時間を調整する方法が提供され、ＴＴＴの正確な調整を実現する。
【課題を解決するための手段】
【００１２】
本発明の実施例に係るＴＴＴを調整する方法は、移動端末（ＵＥ）がハンドオーバーするとき、ターゲット基地局（ＴｅＮＢ）が、前記ＵＥのハンドオーバー補助情報を取得し、ＴｅＮＢが、前記ＵＥのハンドオーバー補助情報に基づいて、今回ハンドオーバーのハンドオーバー重みを決定し、ＴｅＮＢが、ＵＥへハンドオーバーコマンドを送信して、ハンドオーバーコマンドに前記ハンドオーバー重みを付ける、ことを含む。
【００１３】
ここで、ＵＥのハンドオーバー補助情報は、前記ＵＥのハンドオーバー履歴情報を含む。
【００１４】
上記の方法は、ソース基地局（ＳｅＮＢ）は、前記ＵＥのハンドオーバー履歴情報を記憶して、ハンドオーバー判定の後に、自局で記憶された前記ＵＥのハンドオーバー履歴情報をＴｅＮＢに送信する、ことをさらに含む。
【００１５】
上記の方法は、移動管理エンティティ（ＭＭＥ）は、前記ＵＥのハンドオーバー履歴情報を記憶して、ハンドオーバー判定の後に、自局で記憶された前記ＵＥのハンドオーバー履歴情報をＴｅＮＢに送信する、ことをさらに含む。
【００１６】
ここで、ＴｅＮＢが前記ＵＥのハンドオーバー補助情報に基づいて今回ハンドオーバーのハンドオーバー重みを決定することは、前記ＵＥのハンドオーバー履歴情報に基づいて、第１のハンドオーバー重みを決定して、決定された第１のハンドオーバー重みを今回ハンドオーバーのハンドオーバー重みとする、ことを含む。
【００１７】
前記ＵＥのハンドオーバー補助情報は、ターゲットセルの配置情報を含み、ＴｅＮＢが前記ＵＥのハンドオーバー補助情報に基づいて今回ハンドオーバーのハンドオーバー重みを決定することは、ターゲットセルの配置情報に基づいて、第２のハンドオーバー重みを決定して、決定された第２のハンドオーバー重みを今回ハンドオーバーのハンドオーバー重みとする、ことを含む。
【００１８】
前記ＵＥのハンドオーバー補助情報は、前記ＵＥのハンドオーバー履歴情報と、ターゲットセルの配置情報とを含み、ＴｅＮＢが前記ＵＥのハンドオーバー補助情報に基づいて今回ハンドオーバーのハンドオーバー重みを決定することは、前前記ＵＥのハンドオーバー履歴情報に基づいて、第１のハンドオーバー重みを決定し、ターゲットセルの配置情報に基づいて、第２のハンドオーバー重みを決定し、第１のハンドオーバー重みと第２のハンドオーバー重みとのうちの最小値を、今回ハンドオーバーのハンドオーバー重みとして選択する、ことを含む。
【００１９】
前記ＵＥのハンドオーバー履歴情報に基づいて第１のハンドオーバー重みを決定することは、前記ＵＥのハンドオーバー履歴情報に基づいて、所定の期間内に、前記ＵＥがセルＡからハンドオーバーした後に再度セルＡへハンドオーバーしようとすると判断した場合、第１のハンドオーバー重みを０に設定し、そうでなければ、第１のハンドオーバー重みを１に設定する、ことを含む。
【００２０】
ターゲットセルの配置情報に基づいて第２のハンドオーバー重みを決定することは、ターゲットセルの大きさの情報に基づいて、第２のハンドオーバー重みを決定する、ことを含む。
【００２１】
前記ＵＥのハンドオーバー補助情報は、ソースセルの配置情報をさらに含み、前記方法は、ソースセルの配置情報とターゲットセルの配置情報とに基づいて、ソースセルとターゲットセルのカバー範囲が同じであるかどうかを判断し、またはソースセルのカバー範囲がターゲットセルのカバー範囲内にあるかどうかを判断し、ソースセルとターゲットセルのカバー範囲が同じである場合、またはソースセルのカバー範囲がターゲットセルのカバレッジ内にある場合、第２のハンドオーバー重みを０に設定する、ことをさらに含む。
【００２２】
本発明の別の実施例に係るＴＴＴを調整する方法は、ＵＥが、ハンドオーバーコマンドに付けられたハンドオーバー重みに基づいて、ハンドオーバーカウントを行い、更新後のハンドオーバー回数を得、ＵＥが、更新後のハンドオーバー回数に基づいて、ＴＴＴを調整する、ことを含む。
【００２３】
ＵＥがハンドオーバーコマンドに付けられたハンドオーバー重みに基づいてハンドオーバーカウントを行うことは、ＵＥが、数式HO_count＝HO_count＋ωにより、ハンドオーバーカウントを行う、ことを含み、ここで、HO_countは、ＵＥで記録されたハンドオーバー回数を表し、ωは、ハンドオーバーコマンドに付けられたハンドオーバー重みを表す。
【００２４】
本発明のさらに別の実施例に係るＴＴＴを調整する方法は、ＵＥが、自局のハンドオーバー補助情報に基づいて、今回ハンドオーバーのハンドオーバー重みを決定し、ＵＥが、ハンドオーバー重みに基づいて、ハンドオーバーカウントを行い、更新後のハンドオーバー回数を得、ＵＥが、更新後のハンドオーバー回数に基づいて、ＴＴＴを調整する、ことを含む。
【００２５】
前記ハンドオーバー補助情報は、ＵＥ自局で記憶されたハンドオーバー履歴情報を含み、前記ＵＥが自局のハンドオーバー補助情報に基づいて今回ハンドオーバーのハンドオーバー重みを決定することは、前記ＵＥが、自局で記憶されたハンドオーバー履歴情報に基づいて、第１のハンドオーバー重みを決定して、決定された第１のハンドオーバー重みを今回ハンドオーバーのハンドオーバー重みとする、ことを含む。
【００２６】
前記ハンドオーバー補助情報は、ターゲットセルの配置情報を含み、前記ＵＥが自局のハンドオーバー補助情報に基づいて今回ハンドオーバーのハンドオーバー重みを決定することは、前記ＵＥが、ＴｅＮＢの配置情報に基づいて、第２のハンドオーバー重みを決定して、決定された第２のハンドオーバー重みを今回ハンドオーバーのハンドオーバー重みとする、ことを含む。
【００２７】
前記ハンドオーバー補助情報は、ＵＥのハンドオーバー履歴情報と、ターゲット基地局（ＴｅＮＢ）から提供されたターゲットセルの配置情報とを含み、前記ＵＥが自局のハンドオーバー補助情報に基づいて今回ハンドオーバーのハンドオーバー重みを決定することは、ＵＥが、自局で記憶されたハンドオーバー履歴情報に基づいて、第１のハンドオーバー重みを決定し、ＵＥが、ＴｅＮＢから提供されたターゲットセルの配置情報に基づいて、第２のハンドオーバー重みを決定し、第１のハンドオーバー重みと第２のハンドオーバー重みとのうちの最小値を、今回ハンドオーバーのハンドオーバー重みとして選択する、ことを含む。
【００２８】
ＵＥが自局で記憶されたハンドオーバー履歴情報に基づいて第１のハンドオーバー重みを決定することは、前記ＵＥのハンドオーバー履歴情報に基づいて、所定の期間内に、前記ＵＥがセルＡからハンドオーバーした後に再度セルＡへハンドオーバーしようとすると判断した場合、第１のハンドオーバー重みを０に設定し、そうでなければ、第１のハンドオーバー重みを１に設定する、ことを含む。
【００２９】
ＵＥがターゲットセルの配置情報に基づいて第２のハンドオーバー重みを決定することは、ターゲットセルの大きさの情報に基づいて、第２のハンドオーバー重みを決定する、ことを含む。
【００３０】
前記ＵＥのハンドオーバー補助情報は、ソースセルの配置情報をさらに含み、前記方法は、ソースセルの配置情報とターゲットセルの配置情報とに基づいて、ソースセルとターゲットセルのカバー範囲が同じであるかどうかを判断し、またはソースセルのカバー範囲がターゲットセルのカバー範囲内にあるかどうかを判断し、ソースセルとターゲットセルのカバー範囲が同じである場合、またはソースセルのカバー範囲がターゲットセルのカバー範囲内にある場合、第２のハンドオーバー重みを０に設定する、ことをさらに含む。
【００３１】
ＵＥがハンドオーバー重みに基づいてハンドオーバーカウントを行うことは、ＵＥが、数式HO_count＝HO_count＋ωにより、ハンドオーバーカウントを行う、ことを含み、ここで、HO_countは、ＵＥで記録されたハンドオーバー回数を表し、ωは、今回ハンドオーバーのハンドオーバー重みを表す。
【００３２】
本発明のさらに別の実施例に係るＴＴＴを調整する方法は、ＴＴＴの初期値ＴＴＴ０を予め設定し、０＜thre1＜thre2＜…＜threnかつ１＞factor1＞factor2＞…＞factorn＞０を満たすように（ｎは自然数である）、ｎ個の閾値thre1，thre2，…，threnおよび前記ｎ個の閾値に対応するｎ個の係数factor1，factor2，…，factornを予め設定し、ＵＥが、ハンドオーバーカウントを行い、ハンドオーバーが発生するたびに、ハンドオーバーカウンター値HO_countに１を加え、ＵＥが、ＵＥのハンドオーバー補助情報に基づいて、前記ｎ個の閾値または前記ｎ個の係数を調整し、threk＜HO_count＜threk+1が満たされた場合、ＴＴＴ＝ＴＴＴ０×factorkにして、HO_count＞threnが満たされた場合、ＴＴＴ＝ＴＴＴ０×factornにする（ｋ＜ｎであり、かつ、ｋは自然数である）、ことを含む。
【００３３】
本発明の実施例に係る基地局は、ユーザ端末（ＵＥ）のハンドオーバー補助情報を取得するハンドオーバー補助情報取得モジュールと、ＵＥのハンドオーバー補助情報に基づいて今回ハンドオーバーのハンドオーバー重みを決定するハンドオーバー重み決定モジュールと、ＵＥへハンドオーバーコマンドを送信して、ハンドオーバーコマンドに前記ハンドオーバー重みを付けるハンドオーバーコマンド送信モジュールと、を含む。
【００３４】
本発明の実施例に係るＵＥは、受信されたハンドオーバーコマンドからハンドオーバー重みを抽出するハンドオーバー重み受信モジュールと、ハンドオーバーコマンドでのハンドオーバー重みに基づいて、ハンドオーバーカウントを行い、更新後のハンドオーバー回数を得るハンドオーバーカウントモジュールと、更新後のハンドオーバー回数に基づいて、トリガー時間（ＴＴＴ）を調整するトリガー時間調整モジュールと、を含む。
【００３５】
本発明の実施例に係る別の基地局は、ＵＥへハンドオーバーコマンドを送信して、ハンドオーバーコマンドに自局の配置情報を付けるハンドオーバーコマンド送信モジュール、を含む。
【００３６】
本発明の実施例に係る別のＵＥは、自局のハンドオーバー補助情報に基づいて今回ハンドオーバーのハンドオーバー重みを決定するハンドオーバー重み決定モジュールと、ハンドオーバー重みに基づいてハンドオーバーカウントを行い、更新後のハンドオーバー回数を得るハンドオーバーカウントモジュールと、更新後のハンドオーバー回数に基づいてトリガー時間（ＴＴＴ）を調整するトリガー時間調整モジュールと、を含む。
【００３７】
本発明の実施例に係るさらに別のＵＥは、トリガー時間（ＴＴＴ）の初期値ＴＴＴ０を予め設定する初期化モジュールと、０＜thre1＜thre2＜…＜threnかつ１＞factor1＞factor2＞…＞factorn＞０を満たすように（ｎは自然数である）、ｎ個の閾値thre1，thre2，…，threnおよび前記ｎ個の閾値に対応するｎ個の係数factor1，factor2，…，factornを予め設定する閾値設定モジュールと、ハンドオーバーカウントを行い、ハンドオーバーが発生するたびに、ハンドオーバーカウンター値HO_countに１を加えるハンドオーバーカウントモジュールと、自局のハンドオーバー補助情報に基づいて、前記ｎ個の閾値または前記ｎ個の係数を調整する閾値調整モジュールと、threk＜HO_count＜threk+1が満たされた場合、ＴＴＴ＝ＴＴＴ０×factorkにして、HO_count＞threnが満たされた場合、ＴＴＴ＝ＴＴＴ０×factornにする（ｋ＜ｎであり、かつ、ｋは自然数である）トリガー時間調整モジュールと、を含む。
【発明の効果】
【００３８】
上記の実施例から分かるように、上記の方法は、ネットワーク配置情報および／またはＵＥのハンドオーバー履歴情報に基づいてＴＴＴを調整し、ＵＥの移動速度の正確な推定を実現することで、ＨｅｔＮｅｔネットワーク環境でセル密度が高すぎることによるＵＥの移動速度が過大評価される問題、および、ＵＥが隣接セル端で往復にハンドオーバーするとき引き起こされた、ＵＥの移動速度が過大評価される問題を効果的に解決することができる。上記の原因に基づき、上記の方法によれば、ＵＥの移動速度を比較的正確に推定して、適当なＴＴＴを調整し得ることにより、ハンドオーバー性能を向上させ、より低いハンドオーバー失敗率を実現するとともに、ピンポン効果による影響を減少することができる。
【図面の簡単な説明】
【００３９】
【図１】本発明の一実施例に係るＴＴＴの調整方法のフローチャートである。
【図２】図１におけるステップ１０２の具体的な実現方法を示す図である。
【図３】本発明の別の実施例に係るＴＴＴの調整方法のフローチャートである。
【図４】図３におけるステップ３０１の具体的な実現方法を示す図である。
【図５】本発明のさらに別の実施例に係るＴＴＴの調整方法のフローチャートである。
【図６】本発明の一実施例に係る基地局の内部構成を示す図である。
【図７】本発明の一実施例に係るＵＥの内部構成を示す図である。
【図８】本発明の別の実施例に係る基地局の内部構成を示す図である。
【図９】本発明の別の実施例に係るＵＥの内部構成を示す図である。
【図１０】本発明のさらに別の実施例に係るＵＥの内部構成を示す図である。
【発明を実施するための形態】
【００４０】
上記の問題を解決するために、本発明の実施例は、ＴＴＴの調整方法を提供し、ＵＥのハンドオーバー補助情報を利用して、より正確な移動状態推定を実現することができる。上記ＵＥのハンドオーバー補助情報は、ＵＥのハンドオーバー履歴情報、ソースセルおよび／またはターゲットセルの配置情報などを含むようにしてよい。ここで、配置情報は、セル位置、セル大きさおよびセルタイプなどの情報のうちの１つまたはそれらの任意の組合せを含む。
【００４１】
以下、具体的な例示および図面を参照しながら、本発明の各種の実現方式を詳細に説明する。
【００４２】
（実施例１）
図１は、本発明の一実施例に係るＴＴＴの調整方法のフローチャートを示す。図１に示すように、該方法は、主に、移動端末（ＵＥ）がハンドオーバーするとき、ターゲット基地局（ＴｅＮＢ）が該ＵＥのハンドオーバー補助情報を取得するステップ１０１と、ＴｅＮＢがＵＥのハンドオーバー補助情報に基づいて今回ハンドオーバーのハンドオーバー重みを決定するステップ１０２と、ＴｅＮＢがハンドオーバーコマンドをＵＥへ送信して、ハンドオーバーコマンドに上記のハンドオーバー重みを付けるステップ１０３と、ＵＥがハンドオーバーコマンドにおけるハンドオーバー重みに基づいて、ハンドオーバーカウントを行い、更新後のハンドオーバー回数を得るステップ１０４と、ＵＥが更新後のハンドオーバー回数に基づいて、ＴＴＴを調整するステップ１０５と、を含む。
【００４３】
以下、さらに、図面を参照しながら、図１における各ステップの具体的な実行方法を詳細に説明する。
【００４４】
前述のように、ハンドオーバー補助情報は、ＵＥのハンドオーバー履歴情報を含むようにしてよい。ＵＥのハンドオーバー履歴情報は、ＵＥの無線リソース制御（ＲＲＣ）接続が確立された後のサービングｅＮＢのリスト、および、各ｅＮＢが該ＵＥに対しサービスする時間などを含む。
【００４５】
実際の応用で、ソース基地局（ＳｅＮＢ）は、ＵＥのハンドオーバー履歴情報を記憶して、上記のステップ１０１で、ＳｅＮＢが、ハンドオーバー判定の後に、自局で記憶されたＵＥのハンドオーバー履歴情報をＴｅＮＢに送信するようにしてよい。通常、ＳｅＮＢは、ハンドオーバーを決定したとき、ＴｅＮＢへハンドオーバー要求メッセージを送信することになる。本実施例で、ＳｅＮＢは、ハンドオーバー要求を送信するとともに、例えばＸ２インターフェースを介して、ＵＥのハンドオーバー履歴情報をＴｅＮＢに送信する。
【００４６】
または、上記方式の代替案として、ネットワークにおけるＳｅＮＢ以外のほかのエンティティ、例えば移動管理エンティティ（ＭＭＥ）は、ＵＥのハンドオーバー履歴情報を記憶して、上記のステップ１０１で、ハンドオーバー判定の後に、ＭＭＥが、自局で記憶されたＵＥのハンドオーバー履歴情報をＴｅＮＢに送信するようにしてもよい。
【００４７】
また、前述のように、ハンドオーバー補助情報は、ソースセルの配置情報および／またはターゲットセルの配置情報を含むようにしてもよい。通常、ネットワーク配置が完成した後に、コアネットワークに各セルの配置情報が記憶されることになり、各ｅＮＢは、いずれも、コアネットワークから自局およびその隣接セルの配置情報を一度に取得することができる。
【００４８】
具体的に、上記のステップ１０２で、ハンドオーバー補助情報にＵＥのハンドオーバー履歴情報のみが含まれると、ＴｅＮＢは、ＵＥのハンドオーバー履歴情報に基づいて、第１のハンドオーバー重みを決定して、第１のハンドオーバー重みを今回ハンドオーバーのハンドオーバー重みとするようにしてよく、ハンドオーバー補助情報にターゲットセルの配置情報のみが含まれると、ＴｅＮＢは、ターゲットセルの配置情報に基づいて、第２のハンドオーバー重みを決定して、第２のハンドオーバー重みを今回ハンドオーバーのハンドオーバー重みとするようにしてもよく、ハンドオーバー補助情報にＵＥのハンドオーバー履歴情報もターゲットセルの配置情報も含まれると、図２に示す方法に従って、今回ハンドオーバーのハンドオーバー重みを決定するようにしてもよい。図２に示す方法は、具体的に、ＴｅＮＢが、ＵＥのハンドオーバー履歴情報に基づいて、第１のハンドオーバー重みを決定するステップ１０２１と、ＴｅＮＢが、ターゲットセルの配置情報に基づいて、第２のハンドオーバー重みを決定するステップ１０２２と、ＴｅＮＢが、第１のハンドオーバー重みと第２のハンドオーバー重みとのうちの最小値を、今回ハンドオーバーのハンドオーバー重みとして選択するステップ１０２３と、を含む。
【００４９】
ここで、ＴｅＮＢが、ＵＥのハンドオーバー履歴情報に基づいて、第１のハンドオーバー重みを決定する具体的な方法は、ＵＥのハンドオーバー履歴情報に基づいて、該ＵＥが隣接セルの間で往復にハンドオーバーすると判断した場合、第１のハンドオーバー重みを０に設定し、そうでなければ、第１のハンドオーバー重みを１に設定する。例えば、ＵＥのハンドオーバー履歴情報に基づいて、所定の期間内に、ＵＥがセルＡからハンドオーバーした後に再度セルＡへハンドオーバーしようとすると判断した場合、第１のハンドオーバー重みを０に設定し、そうでなければ、第１のハンドオーバー重みを１に設定するようにしてよい。上記の所定の期間は、ｅＮＢおよびＵＥで予め規定されるものであってよく、ｅＮＢがＲＲＣシグナリングを介してＵＥに対し設定するものであってもよい。その典型的な値は、例えば１秒であってよい。
【００５０】
また、ＴｅＮＢが、ターゲットセルの配置情報に基づいて、第２のハンドオーバー重みを決定する方法は、ターゲットセルの大きさの情報に基づいて、第２のハンドオーバー重みを決定する、ことを含み、ここで、ターゲットセルの大きさは、ターゲットセルの直径またはＴｅＮＢの送信電力により表すことができる。具体的な方法は、以下の２つを含むようにしてよい。
【００５１】
方法１で、予め設定されたターゲットセルのセル大きさと、第２のハンドオーバー重みとの間の対応関係に基づいて、第２のハンドオーバー重みを決定する。通常の場合で、ＴｅＮＢの所在するセルが大きいほど、その対応する第２のハンドオーバー重みが小さくなる。
【００５２】
下記の表１に、ＴｅＮＢの所在するセルの直径と、第２のハンドオーバー重みとの対応関係の例示を示す。実際の応用で、下記の表１に基づいて、第２のハンドオーバー重みを直接に決定することができる。説明すべきところとして、表１にただ１つの例示のみを提供するが、実際の応用で、下表における具体的な数値を適応的に調整することもでき、かつ、代替案として、下記の表１におけるセル直径パラメータがＴｅＮＢの送信電力パラメータに置き換えられることもできる。
【００５３】
【表１】
2014239433.tif 000003
【００５４】
方法２で、下記の数式１により、第２のハンドオーバー重みを算出する。説明すべきところとして、下記の数式１により算出された第２のハンドオーバー重みが１より大きいと、第２のハンドオーバー重みを１に設定する。
【００５５】
[数式１]
ω２＝cell_size×γ
【００５６】
ここで、ω２は、第２のハンドオーバー重みを表し、cell_sizeは、ターゲットセルの大きさを表して、具体的に、ターゲットセルの直径またはＴｅＮＢの送信電力で表すことができ、γは、予め設定された係数、例えば０．００２である。
【００５７】
ハンドオーバー補助情報にさらにソースセルの配置情報が含まれると、ステップ１０２で、さらに、ソースセルの配置情報に基づいて、第２のハンドオーバー重みを更新するようにしてよく、具体的な方法は、ソースセルの配置情報とターゲットセルの配置情報とに基づいて、ソースセルとターゲットセルのカバー範囲が同じであるかどうかを判断し、またはソースセルのカバー範囲がターゲットセルのカバー範囲内にあるかどうかを判断し、ソースセルとターゲットセルのカバー範囲が同じである場合、またはソースセルのカバー範囲がターゲットセルのカバー範囲内にある場合、さらに、第２のハンドオーバー重みを０に設定する、ことを含む。
【００５８】
上記のステップ１０３で、ハンドオーバーコマンドにハンドオーバー重みを付けるために、ハンドオーバーコマンドに新しい情報要素（ＩＥ：Information  Element）を追加してハンドオーバー重みを搭載する必要がある。
【００５９】
上記のステップ１０４で、ＵＥは、下記の数式２に従って、ハンドオーバーカウントを行い、ハンドオーバー回数を更新する。
【００６０】
[数式２]
HO_count＝HO_count＋ω
【００６１】
ここで、HO_countは、ＵＥで記録されたハンドオーバー回数を表し、ωは、今回ハンドオーバーのハンドオーバー重みを表す。
【００６２】
説明すべきところとして、本実施例で、上記のハンドオーバーカウントを行うカウンターが算出するのは、システムによって設定された所定の期間内に重み付けられたハンドオーバー回数である。そして、該所定の期間を経るたびに、該カウンターはクリアされる。
【００６３】
上記のステップ１０５で、ＵＥは、更新後のハンドオーバー回数に基づいて、ＴＴＴを調整するようにしてよい。具体的な方法は、以下の２つを含むようにしてよい。
【００６４】
方法１で、０＜thre1＜thre2＜…＜threnかつ１＞factor1＞factor2＞…＞factorn＞０を満たすように（ｎは自然数である）、ＴＴＴの初期値ＴＴＴ０、ｎ個の閾値thre1，thre2，…，thren、および、このｎ個の閾値に対応するｎ個の係数factor1，factor2，…，factornを予め設定する。HO_countがそのうちのｋ番目の閾値より大きくて、そのうちのｋ＋１番目の閾値より小さい場合、即ち、threk＜HO_count＜threk+1が満たされた場合、ＴＴＴ＝ＴＴＴ０×factorkにして、HO_count＞threnが満たされた場合、ＴＴＴ＝ＴＴＴ０×factornにする（ｋ＜ｎであり、かつ、ｋは自然数である）。
【００６５】
本発明の１つの例示で、ｎは２に等しくてよい。即ち、HO_countが予め設定された第１の閾値thre1より大きくて、予め設定された第２の閾値thre2より小さい場合、ＵＥが中速機器であると考えられて、ＴＴＴ＝ＴＴＴ０×factor1にして、HO_countが第２の閾値thre2より大きい場合、ＵＥが高速機器であると考えられて、ＴＴＴ＝ＴＴＴ０×factor2にする。ここで、factor1＞factor2である。
【００６６】
方法２で、下記の数式３により、直接にＴＴＴを算出する。但し、条件ＴＴＴ≦ＴＴＴ０を満たす必要がある。
【００６７】
【数１】
2014239433.tif 000004
【００６８】
ここで、δは、予め設定された、０より大きい係数であり、かつ、δが、ＲＲＣシグナリングによって設定されることができる。
【００６９】
上記の２つの方法により、両方ともＴＴＴへの動的な調整を実現することができ、また、HO_countが大きいほど、より小さいＴＴＴを得る、ということを満たすことができる。
【００７０】
この後、次回のハンドオーバー過程中に、ＵＥは、動的に調整されたＴＴＴを適用して、測定報告をトリガーすることができる。
【００７１】
（実施例２）
図３は、本発明の別の実施例に係るＴＴＴの調整方法を示す。図３に示すように、該方法は、主に、以下のステップを含む。
【００７２】
ステップ３０１で、ＵＥは、自局のハンドオーバー補助情報に基づいて、今回ハンドオーバーの重みを決定する。
【００７３】
ステップ３０２で、ＵＥは、ハンドオーバー重みに基づいて、ハンドオーバーカウントを行い、更新後のハンドオーバー回数を得る。ここで、ステップ３０２の実行方法は、上記の実施例１におけるステップ１０４と同じであり、ここで説明を省略する。
【００７４】
ステップ３０３で、ＵＥは、更新後のハンドオーバー回数に基づいて、ＴＴＴを調整する。ここで、ステップ３０３の実行方法も上記の実施例１におけるステップ１０５と同じであり、ここで説明も省略する。
【００７５】
以下、さらに、図面を参照しながら、図４におけるステップ３０１の実行方法を詳細に説明する。
【００７６】
前述のように、ＵＥのハンドオーバー補助情報は、ＵＥのハンドオーバー履歴情報を含むようにしてよい。また、本実施例で、ＵＥで自局のハンドオーバー履歴情報を記憶するようにしてよい。
【００７７】
また、ハンドオーバー補助情報は、ＴｅＮＢから提供されたターゲットセルの配置情報を含むようにしてもよい。本実施例で、ＴｅＮＢは、ＵＥへ送信したハンドオーバーコマンドにより、ターゲットセルの配置情報をＵＥに送信する。ＵＥは、受信されたハンドオーバーコマンドから、ターゲットセルの配置情報を抽出する。本ステップで、ハンドオーバーコマンドにターゲットセルの配置情報を付けるために、ハンドオーバーコマンドに新しいＩＥを追加してターゲットセルの配置情報を搭載する必要がある。
【００７８】
具体的に、上記のステップ３０１で、ハンドオーバー補助情報にＵＥのハンドオーバー履歴情報のみが含まれると、ＵＥは、ＵＥのハンドオーバー履歴情報に基づいて第１のハンドオーバー重みを決定して、第１のハンドオーバー重みを今回ハンドオーバーのハンドオーバー重みとする。ハンドオーバー補助情報にターゲットセルの配置情報のみが含まれると、ＵＥは、ターゲットセルの配置情報に基づいて第２のハンドオーバー重みを決定して、第２のハンドオーバー重みを今回ハンドオーバーのハンドオーバー重みとするようにしてよい。
【００７９】
ハンドオーバー補助情報にＵＥのハンドオーバー履歴情報もターゲットセルの配置情報も含まれると、図４に示す方法に従って、今回ハンドオーバーのハンドオーバー重みを決定するようにしてもよい。図４に示す方法は、ＵＥが、自局で記憶されたハンドオーバー履歴情報に基づいて、第１のハンドオーバー重みを決定するステップ３０１１と、ＵＥが、ターゲットセルの配置情報に基づいて、第２のハンドオーバー重みを決定するステップ３０１２と、第１のハンドオーバー重みと第２のハンドオーバー重みとのうちの最小値を、今回ハンドオーバーのハンドオーバー重みとして選択するステップ３０１３と、を含む。
【００８０】
ここで、ステップ３０１１の実行方法は、ステップ１０２１と同じであり、ここで説明を省略する。
【００８１】
ステップ３０１２の実行方法もステップ１０２２と類似している。具体的に、ステップ３０１２で、ＴｅＮＢのセル大きさの情報（例えば、ターゲットセルの直径またはＴｅＮＢの送信電力）に基づいて、第２のハンドオーバー重みを決定するようにしてよく、具体的な方法は、以下の２つを含むことができる。
【００８２】
方法１で、予め設定されたターゲットセルの大きさと、第２のハンドオーバー重みとの間の対応関係に基づいて、第２のハンドオーバー重みを決定する。通常の場合で、ターゲットセルが大きいほど、その対応する第２のハンドオーバー重みが小さくなる。ターゲットセルの直径と、第２のハンドオーバー重みとの間の対応関係について、上記の表１を参照することができる。
【００８３】
方法２で、上記の数式１により第２のハンドオーバー重みを算出し、数式１により算出された第２のハンドオーバー重みが１より大きいと、第２のハンドオーバー重みを１に設定する。
【００８４】
また、ハンドオーバー補助情報にさらにソースセルの配置情報が含まれると、ステップ３０１で、さらに、ソースセルの配置情報に基づいて第２のハンドオーバー重みを更新するようにしてよく、具体的な方法は、ソースセルの配置情報とターゲットセルの配置情報とに基づいて、ソースセルとターゲットセルのカバー範囲が同じであるかどうかを判断し、またはソースセルのカバー範囲がターゲットセルのカバー範囲内にあるかどうかを判断し、ソースセルとターゲットセルのカバー範囲が同じである場合、またはソースセルのカバー範囲がターゲットセルのカバー範囲内にある場合、さらに、第２のハンドオーバー重みを０に設定する、ことを含む。
【００８５】
この後、次回のハンドオーバー過程中に、ＵＥは、動的に調整されたＴＴＴを適用して、測定報告をトリガーすることができる。
【００８６】
上記の実施例から分かるように、一方で、上記の方法はハンドオーバー回数をカウントするとき、ＵＥのハンドオーバー履歴情報を十分に考慮でき、ＵＥが一定の期間内に同一のセルへのハンドオーバーを繰り返し実行すると、これらのハンドオーバーがカウントされなく、これによってＵＥがセル端で往復に移動するとき引き起こされた、ＵＥの移動速度が過大評価される問題を効果的に解決することができる。ほかの一方で、上記の方法は、ハンドオーバー回数をカウントするとき、ソースセルおよびターゲットセルの配置情報も十分に考慮でき、これによってＨｅｔＮｅｔネットワーク環境でＵＥの移動速度の正確な推定を実現することができ、ＨｅｔＮｅｔネットワーク環境でセル密度が高すぎることによるＵＥの移動速度が過大評価される問題を効果的に解決することができる。上記の原因に基づき、上記の方法によれば、ＵＥの移動速度を比較的正確に推定し、適当なＴＴＴを調整し得、これによってハンドオーバー性能を向上させ、より低いハンドオーバー失敗率を実現するとともに、ピンポン効果による影響を軽減することができる。
【００８７】
さらに、上記の方法で、移動状態推定をより正確に行うために、システムがＴＴＴの初期値ＴＴＴ０を設定するとき、平均基地局間距離（ＩＳＤ：InterSite  Distance）またはネットワーク密度をさらに考慮することができる。例えば、平均基地局間距離が比較的小さいまたはネットワーク密度が比較的高い場合、より低いＴＴＴの初期値ＴＴＴ０を設定する一方、平均基地局間距離が比較的大きいまたはネットワーク密度が比較的低い場合、より高いＴＴＴの初期値ＴＴＴ０を設定する。
【００８８】
（実施例３）
図５は、本発明のさらに別の実施例に係るＴＴＴの調整方法を示す。図５に示すように、該方法は、主に、以下のステップを含む。
【００８９】
ステップ５０１で、ＴＴＴの初期値ＴＴＴ０を予め設定する。
【００９０】
前述のように、システムがＴＴＴの初期値ＴＴＴ０を設定するとき、平均基地局間距離またはネットワーク密度をさらに考慮することができる。例えば、平均基地局間距離が比較的小さいまたはネットワーク密度が比較的高い場合、より低いＴＴＴの初期値ＴＴＴ０を設定する一方、平均基地局間距離が比較的大きいまたはネットワーク密度が比較的低い場合、より高いＴＴＴの初期値ＴＴＴ０を設定する。
【００９１】
ステップ５０２で、０＜thre1＜thre2＜…＜threnかつ１＞factor1＞factor2＞…＞factorn＞０を満たすように（ｎは自然数である）、ｎ個の閾値thre1，thre2，…，threnおよびこのｎ個の閾値に対応するｎ個の係数factor1，factor2，…，factornを予め設定する。
【００９２】
ステップ５０３で、ＵＥは、ハンドオーバーカウントを行い、ハンドオーバーが発生するたびに、ハンドオーバーカウンター値HO_countに１を加える。
【００９３】
ステップ５０４で、ＵＥは、ハンドオーバー補助情報に基づいて、上記ｎ個の閾値または上記ｎ個の係数を調整する。
【００９４】
本ステップで、ＵＥは、ハンドオーバー補助情報におけるネットワーク配置情報、例えばネットワーク密度情報または平均基地局間距離に基づいて、上記のｎ個の閾値を調整でき、これによってネットワーク密度が大きいほどまたは平均基地局間距離が小さいほど、ｎ個の閾値が大きくなる。または、ＵＥは、ハンドオーバー補助情報におけるＵＥの履歴ハンドオーバー情報に基づいて、上記のｎ個の閾値を調整し、例えば、ＵＥのハンドオーバー履歴情報に基づいて、該ＵＥが隣接セルの間で往復にハンドオーバーする（所定の期間内に、ＵＥがセルＡからハンドオーバーした後に再度セルＡへハンドオーバーしようとする）と判断した場合、上記のｎ個の閾値を増加し、例えば１を加える。
【００９５】
上記方式の代替案として、本ステップで、ＵＥは、ハンドオーバー補助情報におけるネットワーク配置情報、例えばネットワーク密度情報または平均基地局間距離に基づいて、上記のｎ個の係数を調整するようにしてよく、これによってネットワーク密度が大きいほどまたは平均基地局間距離が小さいほど、ｎ個の係数の値が大きくなる。または、ＵＥは、ハンドオーバー補助情報におけるＵＥの履歴ハンドオーバー情報に基づいて、上記のｎ個の係数を調整するようにしてもよく、例えば、ＵＥのハンドオーバー履歴情報に基づいて、該ＵＥが隣接セルの間で往復にハンドオーバーする（所定の期間内に、ＵＥがセルＡからハンドオーバーした後に再度セルＡへハンドオーバーしようとする）と判断した場合、上記のｎ個の係数の値を増加する。
【００９６】
ステップ５０５で、HO_countがそのうちのｋ番目の閾値より大きくて、そのうちのｋ＋１番目の閾値より小さい場合、即ち、threk＜HO_count＜threk+1が満たされた場合、ＴＴＴ＝ＴＴＴ０×factorkにして、HO_count＞threnが満たされた場合、ＴＴＴ＝ＴＴＴ０×factornにする(ｋ＜ｎであり、かつ、ｋは自然数である)。
【００９７】
上記の実施例から分かるように、上記の方法は、ネットワーク配置情報および／またはＵＥのハンドオ―バー履歴情報に基づいてＴＴＴを調整でき、これによって、ネットワーク密度が比較的大きい、基地局間距離が比較的小さいまたはＵＥが隣接セルの間で往復にハンドオーバーする場合、ＴＴＴが低くなるように調整される速度を低減させ、ＵＥの移動速度の正確な推定が実現され、ＨｅｔＮｅｔネットワーク環境でセル密度が高すぎることによるＵＥの移動速度が過大評価されてしまう問題、および、ＵＥが隣接セル端で往復にハンドオーバーするとき引き起こされた、ＵＥの移動速度が過大評価されることで、ＴＴＴが低くなるように調整されることが早すぎる問題を効果的に解決することができる。上記の原因に基づき、上記の方法によれば、ＵＥの移動速度を比較的正確に推定し、適当なＴＴＴを調整し得ることで、ハンドオーバー性能を向上させ、より低いハンドオーバー失敗率を実現するとともに、ピンポン効果による影響を軽減することができる。
【００９８】
上記の実施例１の方法に対応し、本発明の実施例は、該方法を実現する基地局ｅＮＢおよびユーザ端末ＵＥも提供している。
【００９９】
図６は、基地局の内部構成を示し、図６に示すように、該基地局は、ＵＥのハンドオーバー補助情報を取得するハンドオーバー補助情報取得モジュール６０１と、ＵＥのハンドオーバー補助情報に基づいて今回ハンドオーバーのハンドオーバー重みを決定するハンドオーバー重み決定モジュール６０２と、ハンドオーバーコマンドをＵＥへ送信し、ハンドオーバーコマンドに上記のハンドオーバー重みを付けるハンドオーバーコマンド送信モジュール６０３と、を含む。
【０１００】
ここで、上記のハンドオーバー補助情報取得モジュール６０１は、ＳｅＮＢまたはＵＥのハンドオーバー履歴情報を記憶するための、ネットワークにおけるほかのエンティティ（例えばＭＭＥ）から、ＵＥのハンドオーバー履歴情報を受信するようにしてよい。
【０１０１】
上記のハンドオーバー補助情報取得モジュール６０１は、ステップ１０１の方法により、ソースセルの配置情報および／またはターゲットセルの配置情報を取得するようにしてもよい。
【０１０２】
上記のハンドオーバー重み決定モジュール６０２は、ステップ１０２の方法により、ハンドオーバー補助情報に基づいて、今回ハンドオーバーのハンドオーバー重みを決定するようにしてよい。
【０１０３】
上記のハンドオーバーコマンド送信モジュール６０３は、ハンドオーバーコマンドにハンドオーバー重みを付けて、ハンドオーバー重みが付けられたハンドオーバーコマンドをＵＥに送信するようにしてよい。
【０１０４】
図７は、ユーザ端末の内部構成を示し、図７に示すように、該ユーザ端末は、受信されたハンドオーバーコマンドから、ハンドオーバー重みを抽出するハンドオーバー重み受信モジュール７０１と、ハンドオーバーコマンドに付けられたハンドオーバー重みに基づいて、ハンドオーバーカウントを行い、更新後のハンドオーバー回数を得るハンドオーバーカウントモジュール７０２と、更新後のハンドオーバー回数に基づいてＴＴＴを調整するトリガー時間調整モジュール７０３と、を含む。
【０１０５】
ここで、上記のハンドオーバーカウントモジュール７０２は、ステップ１０４の方法により、ハンドオーバーカウントを行うようにしてよく、上記のトリガー時間調整モジュール７０３は、図１でのステップ１０５の方法により、ＴＴＴを調整するようにしてよく、ここで説明を省略する。
【０１０６】
上記の実施例２の方法に対応し、本発明の実施例は、該方法を実現する基地局ｅＮＢおよびユーザ端末ＵＥも提供している。
【０１０７】
図８は、基地局の内部構成を示し、図８に示すように、該基地局は、ＵＥへハンドオーバーコマンドを送信して、ハンドオーバーコマンドに自局の配置情報を付けるハンドオーバーコマンド送信モジュール８０１を含む。
【０１０８】
図９は、ユーザ端末の内部構成を示し、図９に示すように、該ユーザ端末は、自局のハンドオーバー補助情報に基づいて今回ハンドオーバーの重みを決定するハンドオーバー重み決定モジュール９０１と、ハンドオーバー重みに基づいてハンドオーバーカウントを行い、更新後のハンドオーバー回数を得るハンドオーバーカウントモジュール９０２と、更新後のハンドオーバー回数に基づいてＴＴＴを調整するトリガー時間調整モジュール９０３と、を含む。
【０１０９】
ここで、上記のハンドオーバー重み決定モジュール９０１は、ステップ３０１により、今回ハンドオーバーのハンドオーバー重みを決定するようにしてよく、上記のハンドオーバーカウントモジュール９０２は、ステップ３０２の方法により、ハンドオーバーカウントを行うようにしてよく、上記のトリガー時間調整モジュール９０３は、ステップ３０３の方法により、ＴＴＴを調整するようにしてよく、ここで説明を省略する。
【０１１０】
上記の実施例３の方法に対応し、本発明の実施例は、該方法を実現するユーザ端末ＵＥも提供している。
【０１１１】
図１０は、ユーザ端末の内部構成を示し、図１０に示すように、該ユーザ端末は、ＴＴＴの初期値ＴＴＴ０を予め設定する初期化モジュール１００１と、０＜thre1＜thre2＜…＜threnかつ１＞factor1＞factor2＞…＞factorn＞０を満たすように（ｎは自然数である）、ｎ個の閾値thre1，thre2，…，threnおよびこのｎ個の閾値に対応するｎ個の係数factor1，factor2，…，factornを予め設定する閾値設定モジュール１００２と、ハンドオーバーカウントを行い、ハンドオーバーが発生するたびに、ハンドオーバーカウンター値HO_countに１を加えるハンドオーバーカウントモジュール１００３と、ハンドオーバー補助情報に基づいて、上記ｎ個の閾値または上記ｎ個の係数を調整する閾値調整モジュール１００４と、HO_countがそのうちのｋ番目の閾値より大きくて、そのうちのｋ＋１番目の閾値より小さい場合、即ち、threk＜HO_count＜threk+1が満たされた場合、ＴＴＴ＝ＴＴＴ０×factorkにして、HO_count＞threnが満たされた場合、ＴＴＴ＝ＴＴＴ０×factornにする（ｋ＜ｎであり、かつ、ｋは自然数である）トリガー時間調整モジュール１００５と、を含む。
【０１１２】
ここで、各モジュールの具体的な処理について、図５での各ステップを参照することができ、ここで説明も省略する。
【０１１３】
前述のように、本発明の方法および装置は、ＴＴＴをより正確に調整することができ、これにより、より優れたハンドオーバー性能を実現することができる。
【０１１４】
説明すべきところとして、本発明の実施例に係る方法がＨｅｔＮｅｔに適用されると、よりよい効果を得ることができるが、上記の方法は、ＨｅｔＮｅｔに適用されることに限定されるものではないが、伝統的なＨｏｍｏＮｅｔに適用されることもできる。
【０１１５】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
2014239433.tif 000005
【図２】
2014239433.tif 000006
【図３】
2014239433.tif 000007
【図４】
2014239433.tif 000008
【図５】
2014239433.tif 000009
【図６】
2014239433.tif 000010
【図７】
2014239433.tif 000011
【図８】
2014239433.tif 000012
【図９】
2014239433.tif 000013
【図１０】
2014239433.tif 000014